(57)【要約】【課題】意匠性を損なうことなく、施工性を向上させる。【解決手段】設置面に間隔をおいて立設された支柱１の上端に設けられた笠木下地材２と、この笠木下地材２上に装着された笠木本体３と、支柱１の一側に配置されたパネル５とを備えた手摺であって、笠木下地材２を、パネル５の幅とほぼ同じ長さに分割してなる複数の分割下地材２ａから構成するとともに、各分割下地材２ａをパネル５の上縁に固定して面材ユニットａとし、面材ユニットａの分割下地材２ａを支柱１の上端に固定して長手方向に連続配置し、面材ユニットａの下縁を支柱１の一側に取り付けるとともに、長手方向に並んだ分割下地材２ａの上部には長尺の笠木本体３を係止装着した。【選択図】図２
2014062404.tif 000002
【特許請求の範囲】
【請求項１】
設置面に間隔をおいて立設された支柱の上端に設けられた笠木下地材と、この笠木下地材上に装着された笠木本体と、上記支柱の一側に配置されたパネルとを備えた手摺であって、
上記笠木下地材を、上記パネルの幅とほぼ同じ長さに分割してなる複数の分割下地材から構成し、上記各分割下地材を上記パネルの上縁に固定して面材ユニットとするとともに、
上記面材ユニットの分割下地材を上記支柱の上端に固定して長手方向に連続配置し、上記面材ユニットの下縁を上記支柱の一側に取り付けるとともに、長手方向に並んだ上記分割下地材の上部には長尺の笠木本体を係止装着した
ことを特徴とする手摺。
【請求項２】
上記分割下地材の幅方向の一側には上記支柱の上端に取り付けられる第１の取付部が形成され、他側には上記パネルの上縁に取り付けられる第２の取付部が形成されていることを特徴とする、請求項１に記載の手摺。
【請求項３】
上記面材ユニットのパネルの下縁には下縁材が固定され、上記各支柱の所定位置には受け金具を固定しておき、上記下縁材を上記受け金具に固定したことを特徴とする、請求項１又は２に記載の手摺。
【請求項４】
上記下縁材を、上記分割下地材とほぼ同じ長さに分割して形成したことを特徴とする、請求項３に記載の手摺。
【請求項５】
上記面材ユニットには、上記パネルに代えて複数の縦格子を取り付けるとともに、上記分割下地材の第２の取付部は、上記縦格子の上端が取付可能に形成されていることを特徴とする、請求項２〜４のいずれかに記載の手摺。
【請求項６】
設置面に間隔をおいて立設された支柱の上端に設けられた笠木下地材と、この笠木下地材上に装着された笠木本体と、上記支柱の一側に配置されたパネルとを組み立てる手摺の組み立て方法であって、
上記笠木下地材を、上記パネルの幅とほぼ同じ長さに分割してなる複数の分割下地材から構成するとともに、上記各分割下地材を上記パネルの上縁に固定することにより面材ユニットを形成しておき、
上記面材ユニットの分割下地材を上記支柱の上端に固定して長手方向に連続配置し、上記面材ユニットの下縁を上記支柱の一側に取り付けるとともに、長手方向に並んだ上記分割下地材の上部には長尺の笠木本体を係止装着する
ことを特徴とする手摺の組み立て方法。
【発明の詳細な説明】
【技術分野】
【０００１】
本発明は、建物のベランダ、バルコニー、階段などに設けられる手摺とその組み立て方法に関する。
【背景技術】
【０００２】
一般に、住宅に設けられたベランダ、バルコニー、階段等には手摺が設けられている。このような手摺は、従来は、一定の間隔をおいて設けられた複数の支柱と、支柱の上端に設けられた手摺笠木と、支柱に沿って設けられたパネルとから構成されている。手摺笠木は支柱の上端に連結固定された笠木下地材とその上に係止装着された笠木本体とから成る。これに対し、パネルは、手摺笠木の下部に平行に設けられた上下部の取付枠の間に取り付ける方式や、特許文献１のように、パネルの上端を手摺笠木に一体的に取り付ける方式が知られている。後者においては、予め支柱に長尺の手摺笠木を取り付けるとともに、支柱の下部に手摺笠木と同じ長さの下縁支持部材（下枠）を取り付けておき、手摺笠木の外側の下面に設けられた嵌合溝と下縁支持部材に設けられた受け溝とにパネルをけんどん式に嵌め込んで固定するものである。前者は、手摺笠木とパネルとの間に隙間が形成されるので、パネルの上枠の上面にごみが付着し、外観上も好ましくなかった。これに対し、後者は、手摺笠木がパネルの上枠を兼ねるので、このような問題は解決されるとともに、上枠を取り付けるという施工手間も省くことができる。
【０００３】
いずれの場合も、手摺笠木を構成する笠木下地材、笠木本体、上下取付枠及び下縁支持部材はいずれも長尺材であり、手摺を組み立てるときは、これらの部材を現場の状況に合わせてそれぞれ所定の長さに切断し、支柱に組み付け固定していた。パネルも必要に応じて現場に合わせて切断していた。
【先行技術文献】
【特許文献】
【０００４】
【特許文献１】特開２０１０−２０９５９８号公報
【発明の概要】
【発明が解決しようとする課題】
【０００５】
しかしながら、従来の手摺構造では、細かい部分の施工まで全て現場で行うものであり、全体としては作業に時間がかかるという問題がある。前記後者のパネル取付方式においても、現場でまず長尺の笠木下地材と笠木本体、パネル等を所定の長さに切断加工した後、まず支柱の上端に笠木下地材を固定し、笠木下地材に笠木本体を取り付けた後、パネルをけんどん式に取り付けるという作業手順を採用せざるを得ない。そのため、現場での作業が煩わしく、短期で施工できないという問題がある。
【０００６】
本発明は上記問題点を解消し、意匠性を損なうことなく、施工性を向上させることができる手摺とその組み立て方法を提供することをその課題とする。
【課題を解決するための手段】
【０００７】
上記課題を解決するため、請求項１に係る発明は、設置面に間隔をおいて立設された支柱の上端に設けられた笠木下地材と、この笠木下地材上に装着された笠木本体と、上記支柱の一側に配置されたパネルとを備えた手摺であって、上記笠木下地材を、上記パネルの幅とほぼ同じ長さに分割してなる複数の分割下地材から構成し、上記各分割下地材を上記パネルの上縁に固定して面材ユニットとするとともに、上記面材ユニットの分割下地材を上記支柱の上端に固定して長手方向に連続配置し、上記面材ユニットの下縁を上記支柱の一側に取り付けるとともに、長手方向に並んだ上記分割下地材の上部には長尺の笠木本体を係止装着したことを特徴とする。
【０００８】
請求項２に係る発明は、請求項１において、上記分割下地材の幅方向の一側には上記支柱の上端に取り付けられる第１の取付部が形成され、他側には上記パネルの上縁に取り付けられる第２の取付部が形成されていることを特徴とする。
【０００９】
請求項３に係る発明は、請求項１又は２において、上記面材ユニットのパネルの下縁には下縁材が固定され、上記各支柱の所定位置には受け金具を固定しておき、上記下縁材を上記受け金具に固定したことを特徴とする。
【００１０】
請求項４に係る発明は、請求項３において、上記下縁材を、上記分割下地材とほぼ同じ長さに分割して形成したことを特徴とする。
【００１１】
請求項５に係る発明は、請求項２〜４のいずれかにおいて、上記面材ユニットには、上記パネルに代えて複数の縦格子を取り付けるとともに、上記分割下地材の第２の取付部は、上記縦格子の上端が取付可能に形成されていることを特徴とする。
【００１２】
請求項６に係る発明は、設置面に間隔をおいて立設された支柱の上端に設けられた笠木下地材と、この笠木下地材上に装着された笠木本体と、上記支柱の一側に配置されたパネルとを組み立てる手摺の組み立て方法であって、上記笠木下地材を、上記パネルの幅とほぼ同じ長さに分割してなる複数の分割下地材から構成するとともに、上記各分割下地材を上記パネルの上縁に固定することにより面材ユニットを形成しておき、上記面材ユニットの分割下地材を上記支柱の上端に固定して長手方向に連続配置し、上記面材ユニットの下縁を上記支柱の一側に取り付けるとともに、長手方向に並んだ上記分割下地材の上部には長尺の笠木本体を係止装着することを特徴とする。
【発明の効果】
【００１３】
請求項１に係る発明によれば、手摺笠木を構成する笠木下地材と笠木本体のうち、笠木本体は長尺のままとする一方で、笠木下地材は短く分割して分割下地材とし、さらにパネルと結合させて面材ユニットとしてユニット化し、面材ユニットが連続的に並んで取り付けられることにより、分割下地材が一体的な笠木下地材を構成するようにしたから、まず面材ユニットを予め工場で製作することができるとともに、長尺材は笠木本体のみであるから、手摺構成部材の現場への搬送が容易である。また、現場では、面材ユニットを支柱に取り付けることにより、複数の分割下地材が長手方向に連続的に並んで一体の笠木下地材が構成される。このため、従来のように、別途笠木下地材やパネルを切断し、これらを個々に支柱に取り付けたりするという面倒な作業は不要となる。また、パネルの取り付けと笠木下地材の取り付けが同時に行われる。したがって、施工性を大幅に向上させることができる。
【００１４】
また、面材ユニットと手摺笠木との間に隙間がないので、すっきりとした一体感が看取される。しかも、面材ユニットが連続配置されて分割下地材の上に長尺の笠木本体が覆い被せられることにより、笠木下地材の分割状態は全く外部には現れないので、意匠性が損なわれることはない。
【００１５】
さらに、面材ユニットと支柱とを一体的に固定することにより、十分な強度を確保することができる。
【００１６】
請求項２に係る発明によれば、分割下地材の幅方向の一側には上記支柱の上端に取り付けられる第１の取付部が形成され、他側には上記パネルの上縁に取り付けられる第２の取付部が形成されているから、これら２つの取付部を介して面材ユニットと支柱とが一体的に固定され、これにより、全体の強度を確保することができる。
【００１７】
また、分割下地材ａの第１の取付部はパネルの一側に突出するので、支柱に取付けるにあたっては、分割下地材を支柱の上端に係合させて仮置きすることができ、取付作業を容易にすることができる。
【００１８】
請求項３に係る発明によれば、面材ユニットのパネルの下縁には下縁材が固定され、上記各支柱の所定位置には受け金具を固定しておき、上記下縁材を上記受け金具に固定したから、従来のように、長尺の下縁材を切断したり、支柱に取り付けた後にパネルを嵌合させたりするという作業も不要となり、施工手間を省くことができる。
【００１９】
請求項４に係る発明は、上記下縁材を、上記分割下地材とほぼ同じ長さに分割して形成したから、従来のように、笠木と同じ長さの長尺の下縁支持部材を予め手摺の外側から各支柱に固定しておいてからパネルの下縁を支持させるという面倒な作業を必要とせず、面材ユニットとして手摺の内側から取付作業を行うことができるので、施工性をさらに向上させることができる。
【００２０】
請求項５に係る発明によれば、面材ユニットには、パネルに代えて複数の縦格子を取り付けるとともに、上記分割下地材の第２の取付部は、上記縦格子の上端が取付可能に形成されているので、これによって構成された面材ユニットによれば、手摺の内外の空気の流通がよくなる。
【００２１】
請求項６に係る発明によれば、予め工場で面材ユニットを製作しておく構成であるから、分割下地材に取付金具を取り付けておくことも工場で行うことができ、施工現場では、支柱に面材ユニットを取り付ける作業を行うだけで、笠木下地材が構成されるから、これに笠木本体を係止させるだけでよく、長尺の笠木本体を切断加工する必要はあるものの、従来のように、現場で笠木下地材やパネルを切断したり、笠木下地材を全ての支柱上に固定した後に、この笠木下地材にパネルを取り付けたりという面倒な作業を省略することができ、施工期間を大幅に短縮することができ、施工性が大幅に向上する。
【図面の簡単な説明】
【００２２】
【図１】本発明に係るベランダ手摺の斜視図
【図２】上記ベランダ手摺の要部の分解斜視図
【図３】上記ベランダ手摺の側面の分解断面図
【図４】上記ベランダ手摺の側面の断面図
【図５】図２のＸ−Ｘ線上の断面図
【図６】取付金具の斜視図
【図７】パネルに代えて格子を取り付けた状態の側面の断面図
【図８】図７のＹ−Ｙ線上の断面図
【図９】異なる支柱に取り付けた場合の実施形態を示す側面の断面図
【図１０】上記実施形態の横断面図
【図１１】支柱の取付態様を示す分解斜視図
【図１２】さらに異なる支柱の取り付けの実施形態を示す要部の横断面図
【発明を実施するための形態】
【００２３】
図１はベランダ手摺の斜視図、図２はベランダ手摺の要部の分解斜視図、図３は上記ベランダ手摺の側面の分解断面図、図４はその側面の断面図であり、図５は図４のＸ−Ｘ線上の断面図を示すもので、上記手摺は、複数の支柱１の上端に設けられた笠木下地材２とその上に装着された笠木本体３とからなる手摺笠木４と、上記支柱１の一側（ベランダ外側）に配置されたパネル５とから構成されている。支柱１、笠木下地材２、笠木本体３等はアルミニウムの押出形材から形成されている。
【００２４】
支柱１はベランダの設置面の先端周縁部Ａに沿って等間隔に立設されている。各支柱１は図５に示されるように、断面が中空の部材で、中空部６の一側にはアリ溝７が形成されている。また、各支柱１のパネル配置側の所定位置には受け金具８が固定されている。受け金具８には、上方に開口する受け溝９と支柱１に固定される取付片１０とが上下に形成されている。
【００２５】
次に、手摺笠木４は笠木下地材２に笠木本体３を係止装着することにより形成されるもので、笠木下地材２は、パネル５の幅とほぼ同じ長さに分割してなる複数の分割下地材２ａから構成されている。図３に示されるように、各分割下地材２ａは水平な下面部１１ａの両側に係止板１１ｂを立ち上げ形成したもので、係止板１１ｂの外側には、上下２段の係止受け部１２ａ、１２ｂが形成されている。そして、複数の分割下地材２ａが長手方向に連続的に並ぶように配置されることにより、一体の笠木下地材２が構成されるようになっている。
【００２６】
これに対し、笠木本体３は従来と同じ長尺材で、上面部の両側に係止板１５を垂下形成してなり、係止板１５の内側には上下２段の係止突起１６ａ、１６ｂが形成されている。そして、笠木本体３は、連続配置されて一体化した笠木下地材２の外側から嵌め込み状に押し込み、図４のように、上下２段の係止受け部１２ａ、１２ｂに係止突起１６ａ、１６ｂをそれぞれ係止装着することにより、笠木下地材２と一体の手摺笠木４が形成される。
【００２７】
次に、パネル５はユニット化され、面材ユニットａとして構成されている。この面材ユニットａは、ガラス、合成樹脂板等から成るパネル５の上部を分割下地材２ａで、パネル５の両側縁をそれぞれ側縁材１８と下縁材１９とによって枠組みしたものである。
【００２８】
すなわち、図３に示されるように、分割下地材２ａの下面部１１ａの幅方向の中央部には上記支柱１の上端に取り付けるための第１の取付部２１が形成され、上記下面部の一側にはパネル５の上縁に取り付けるための第２の取付部２２が形成されている。第１の取付部２１は後述の取付金具の取付溝２３とその上部に形成されたアリ溝部２５とによって形成され、アリ溝部２５の上部には笠木本体３の下面を受ける受け縁２６が延長形成されている。また、上記取付溝２３は２段に形成されている。第２の取付部２２は、下向きに開口する嵌合溝２７によって形成され、嵌合溝２７はビード材２８とともにパネル５を飲み込み可能な大きさに形成されている。上記構成のパネル５と分割下地材２ａにより、面材ユニットａは側面視において倒立Ｌ字形を呈している。そして、面材ユニットａと支柱１とを一体的に固定することにより、十分な強度を確保することができる。
【００２９】
側縁材１８にも分割下地材２ａの第２の取付部２２の嵌合溝２７と同じ大きさの嵌合溝（図示せず）が形成されている。下縁材１９もアルミニウムの押出形材製で、笠木下地材と同じ長さの下縁支持部材を、分割下地材２ａとほぼ同じ長さに分割して形成したものである。したがって、分割下地材２ａを長手に継ぎ合わせれば一体の笠木下地材が構成されるのと同様に、下縁材１９を長手に継ぎ合わせれば一体の下縁支持部材が構成される。下縁材１９には、分割下地材２ａの嵌合溝２７と同じ大きさの嵌合溝２７と、嵌合溝２７の内側に形成された倒立Ｌ字形の取付縁２９とが設けられている。また、下縁材１９は支柱１の受け金具８の受け溝９に嵌合可能な大きさに形成されているとともに、嵌合時に受け金具８の受け溝９の内側の溝壁と下縁材１９の取付縁２９とは重合するように形成されている。側縁材１８は分割下地材２ａと下縁材１９とに対しビス４３で固定されている（図４参照）。
【００３０】
なお、分割下地材２ａと下縁材１９の長さは同じで、パネル５の幅寸法よりも少しだけ長くなるように形成されている。
【００３１】
面材ユニットａは、現場において必要な寸法を計測しておき、これに基づいて予め工場で製作しておく。
【００３２】
面材ユニットａは隣り合う支柱１の中心間の間隔と略等しく形成しておけばよいが、全ての現場で設置面の両端角隅部に支柱１が設けられているとは限らない。端部の支柱１は角隅部から少し距離をおいた位置に設けざるを得ない場合もある。この場合は、端部の面材ユニットａは、端部支柱１から角隅部までの距離を含むように形成すればよい。支柱１の上端と受け金具８は、分割下地材２ａと下縁材１９の端部よりも中央側にずれた位置に固定されることになる。
【００３３】
ところで、面材ユニットａは取付金具４０を介して支柱１の上端に固定されるようになっている。取付金具４０は図６に示されるように、十字形の水平片３０の中央下面から垂直片３１を垂下形成したもので、水平片３０は分割下地材２ａの第１の取付部２１の取付溝２３に嵌合可能に形成され、垂直片３１は支柱１の中空部６に嵌合可能に形成されている。
【００３４】
取付金具４０を面材ユニットａに固定するときは、図４に示されるように、分割下地材２ａの第１の取付部２１のアリ溝部２５に角筒状の管材３２を挿入しておき、取付金具４０の水平片３０を分割下地材２ａの取付溝２３に嵌合させて下側からボルト５０を挿通し、管材３２に固定する。また、管材３２が移動しないように、アリ溝部２５の上から管材３２にビス５１によって固定する。また、取付金具４０の垂直片３１を支柱１の中空部６に嵌合し、ビス５３で固定すれば、面材ユニットａは支柱１の上端に固定される。隣り合う面材ユニットａ、ａのパネル５、５間にはわずかながら隙間が形成される。
【００３５】
上述のように、手摺笠木４を構成する笠木下地材２と笠木本体３のうち、笠木本体３は長尺のままとする一方で、笠木下地材２は短く分割して分割下地材２ａとし、さらにパネル５と結合させて面材ユニットａとしてユニット化し、面材ユニットａが連続的に並んで取り付けられることにより、分割下地材２ａが一体的な笠木下地材２を構成するようにした。これにより、面材ユニットａを予め工場で製作することができるとともに、長尺材は笠木本体３のみであるから、手摺構成部材の現場への搬送が容易である。また、現場では、面材ユニットａを支柱１に取り付けることにより、複数の分割下地材２ａが長手方向に連続的に並んで一体の笠木下地材２が構成される。このため、従来のように、別途笠木下地材２やパネル５を切断し、これらを個々に支柱１に取り付けたりするという面倒な作業は不要となる。また、パネル５の取り付けと笠木支持材の取り付けが同時に行われる。したがって、施工性を大幅に向上させることができる。
【００３６】
また、面材ユニットａと手摺笠木４との間に隙間がないので、すっきりとした一体感が看取される。しかも、面材ユニットａが連続配置されて分割下地材２ａの上に長尺の笠木本体３が覆い被せられることにより、笠木下地材２ａの分割状態は全く外部には現れないので、意匠性が損なわれることはない。
【００３７】
さらに、分割下地材２ａの第１の取付部２１を介して面材ユニットａと支柱１とが一体的に固定され、これにより、全体の強度を確保することができる。
【００３８】
次に、手摺の組み立てについて説明する。まず、予め工場において面材ユニットａを製作しておく。パネル５の大きさ、分割下地材２ａ、下縁材１９等の寸法は、施工現場を計測することに基づいて決めればよい。好ましくは、同時に、支柱１の一側面には受け金具８を、分割下地材２ａには取付金具４０を取り付けておくのがよい。取付金具４０の取り付けにあたっては、図４及び図５に示されるように、分割下地材２ａの第１の取付部２１のアリ溝部２５に角筒状の管材３２を挿入しておき、取付金具４０の水平片３０を分割下地材２ａの取付溝２３に嵌合させて下側からボルト５０を挿通し、管材３２に固定しておく。また、管材３２が移動しないように、アリ溝部２５の上から管材３２をビス５１で固定する。受け金具８は、支柱１のアリ溝７に固定ボルトの頭部３３を嵌合させ、支柱１から突出した軸部を受け金具８の取付片１０に対して貫通させ、ナット３５で固定すればよい。取付金具４０や受け金具８は現場で取り付けてもよい。
【００３９】
そして、現場において、長尺の笠木本体３を所定の長さに切断する。そして、設置面に固定したアンカー４２（図５参照、図１１に示したものと同様）に支柱１を嵌挿し、ボルト４９で固定した後、面材ユニットａの分割下地材２ａに固定した取付金具４０の垂直片を支柱１の中空部６に嵌合し、ビス５３（図４参照）で固定する。同時に、面材ユニットａの下部の下縁材１９を支柱１の受け金具８の受け溝９に嵌合させ、互いに重合した受け金具８の受け溝９の溝壁５４と取付縁２９とをビス５５で固定する。さらに、支柱１の上部に分割下地材２ａが長手方向に並ぶことによって構成された笠木下地材２の上部に笠木本体３を係止装着する。これにより、手摺が完成する。
【００４０】
上記組み立て方法によれば、予め工場で面材ユニットａを製作しておくので、分割下地材２ａに取付金具４０を取り付けておくことも工場で行うことができ、施工現場では、支柱１に面材ユニットａを取り付ける作業を行うだけで、笠木下地材２が構成されるから、これに笠木本体３を係止させるだけでよく、長尺の笠木本体３を切断加工する必要はあるものの、従来のように、現場で笠木下地材２やパネル５を切断したり、笠木下地材２を全ての支柱１上に固定した後に、この笠木下地材２にパネル５を取り付けたりという面倒な作業を省略することができ、施工期間を大幅に短縮することができ、施工性が大幅に向上する。
【００４１】
また、面材ユニットａは分割下地材ａの第１の取付部２１がパネル５の一側に突出しているので、支柱１に取付けるにあたっては、分割下地材ａを支柱１の上端に係合させて仮置きすることができる。したがって、取付作業を容易にすることができる。
【００４２】
さらに、面材ユニットａは四方が枠組みされ、従来のような長尺の下地材や下縁支持部材を現場で取り付ける必要がなく、全ての作業をベランダの内側から安全かつ容易に行うことができる。
【００４３】
ところで、面材ユニットａはガラスや合成樹脂のパネル５だけでなく、格子を面状に配置してユニット化したものも含むものとする。すなわち、図７及び図８に示されるように、分割下地材２ａの第２の取付部２２は、縦格子３６の上端が嵌合可能な嵌合凹部３７として形成されている。縦格子３６は中空に形成され、内部には長手方向に沿ってビスホール３８が形成されている。第１の取付部２１は前述の実施形態と同じである。各縦格子３６の上端は分割下地材２ａの嵌合凹部３７の内部に当接され、外側からビス３９をビスホール３８に止着固定することにより面材ユニットａが構成される。
【００４４】
なお、好ましくは、上記面材ユニットａにも下縁材１９を固定しておくのがよい。この場合、下縁材１９を、断面が下向きに開口したＣ字形に形成し、各縦格子３６の下端を下縁材１９の上面部に形成した嵌合凹部３７の内部に当接し、ビス３９をビスホール３８に止着すればよい。
【００４５】
上記面材ユニットａを用いて手摺を組み立てる場合も、予め工場において面材ユニットａを製作しておき、現場において前述と同じ要領で支柱１に固定し、最後に、支柱１の上部に長手方向に並んだ分割下地材２ａによって構成された笠木下地材２の上部に長尺の笠木本体３を係止装着すればよい。
【００４６】
面材ユニットａを縦格子３６によって構成する場合、通気性に優れるというメリットがある。
【００４７】
なお、上述の面材ユニットａは、パネル５の両側縁をそれぞれ側縁材１８と下縁材１９とによって枠組みしたものであるが、パネル５に予め結合しておくのは分割下地材２ａだけで、側縁材１８や下縁材１９は必ずしも必要としない。下縁材１９をユニット化しないときは、下縁材１９は、従来と同じく、長尺材のまま支柱１に固定しておき、面材ユニットａの下部を長尺の下縁材１９の上面に形成した受け溝９に嵌合して固定すればよい。もちろん、好ましくは上述のように、下縁材１９も分割して面材ユニットａに取り付けておくのがよい。従来のように、長尺の下縁材１９を切断したり、支柱１に取り付けた後にパネル５を嵌合させるという作業も不要となり、施工手間を省くことができるからである。また、パネル５を分割下地材２ａと側縁材１８と下縁材１９とにより枠組みすることにより、強度が確保され、品質が安定するとともに、ガラスよりも強度に劣る樹脂パネルもユニット化することができる。さらに、上述のように、長尺の下縁材を現場で取り付ける必要がなく、全ての作業をベランダの内側から安全かつ容易に行うことができる。
【００４８】
また、１単位の面材ユニットａを構成するパネル５は１枚に限定されない。複数枚であってもよい。
【００４９】
さらに、支柱の形状や大きさも現場に応じて選択すればよい。例えば、図９及び図１０に示されるような、断面正方形で、その内面の長手方向に沿ってビスホール４１を形成した支柱１を使用してもよい。この場合、さらに図１１に示されるように、取付金具４０を水平片３０から構成し、水平片３０を支柱１のビスホール４１にビス５６で固定する。また、ベランダの設置面の先端周縁部に沿って等間隔にアンカー４２を固定しておく（図１の実施形態も同じ）。アンカー４２はアンカーベース４２ａにアンカー支柱４２ｂを立ち上げ形成したもので、アンカー支柱４２ｂには支柱１の芯材４４が取り付けられている。芯材４４の一部は開放され、開放部をビス５７（図１０参照）で締め付けることにより固定されている。支柱１にアンカー４２を取り付けるときは、支柱１の内部に芯材４４を嵌挿させる。そして、受け金具８の取付片４５を支柱１の両側面を挟持する形状とし、ビス４６によって取付片４５とともに芯材４４の固定片４７を支柱１に固定すればよい。
【００５０】
さらに、前述の実施形態と同様に、取付金具４０の水平片３０に分割下地材２ａを取り付け、支柱１に受け金具８を取り付け、面材ユニット５を分割下地材２ａと受け金具８に取り付け、最後に笠木本体３を取り付ければよい。
【００５１】
同様に、図１２に示されるような支柱１を使用するときは、アンカー支柱４２ｂの両側に１対の芯材４４、４４を挟みつけてビス４８で固定し、支柱１を嵌挿し、支柱１の上端に図９、図１１に示すものと同様の取付金具（図示せず）を取り付ければよい。分割下地材、受け金具、面材ユニット、笠木本体等の取り付けは前述の実施態様に従えばよい。
【００５２】
また、上述の実施形態はベランダ手摺に関するものであるが、本発明はこれに限定されない。バルコニー等の手摺にも適用することができる。
【符号の説明】
【００５３】
ａ    面材ユニット
１    支柱
２    笠木下地材
２ａ  分割下地材
３    笠木本体
５    パネル
８    受け金具
１９  下縁材
２１  第１の取付部
２２  第２の取付部
３６  縦格子
【図１】
2014062404.tif 000003
【図２】
2014062404.tif 000004
【図３】
2014062404.tif 000005
【図４】
2014062404.tif 000006
【図５】
2014062404.tif 000007
【図６】
2014062404.tif 000008
【図７】
2014062404.tif 000009
【図８】
2014062404.tif 000010
【図９】
2014062404.tif 000011
【図１０】
2014062404.tif 000012
【図１１】
2014062404.tif 000013
【図１２】
2014062404.tif 000014